(57)【要約】【課題】部品点数を減らし構成を簡素化することが可能な光線過敏検査装置を提供する。【解決手段】第１方向に並んで配置される複数の開口部から互いに異なる照度値の照射光を出力する検査装置において、光２６を出力する光源部２０と、第１方向に延伸して複数の開口部１８が設けられる第１反射部材１２と、第１反射部材１２と隙間を介して対向配置される第２反射部材１４と、を含む照射ユニット１０と、光源部２０から出力された光を照射ユニット１０に導く導光部３０と、を備える。第２反射部材１４は、導光部３０から遠ざかるに連れて隙間が小さくなるように第１反射部材１２に対して傾けて配置される。【選択図】図１
2019033864.tif 000002
【特許請求の範囲】
【請求項１】
第１方向に並んで配置される複数の開口部から互いに異なる照度値の照射光を出力する検査装置であって、
光を出力する光源部と、
第１方向に延伸して前記複数の開口部が設けられる第１反射部材と、前記第１反射部材と隙間を介して対向配置される第２反射部材と、を含む照射ユニットと、
前記光源部から出力された光を前記照射ユニットに導く導光部と、を備え、
前記第２反射部材は、前記導光部から遠ざかるに連れて前記隙間が小さくなるように前記第１反射部材に対して傾けて配置されることを特徴とする検査装置。
【請求項２】
前記複数の開口部のそれぞれから出力される照射光の強度が前記導光部から遠ざかるに連れて順に小さくなるように構成されることを特徴とする請求項１に記載の検査装置。
【請求項３】
前記導光部と前記照射ユニットとの間に設けられ、前記導光部から入射した光を反射して前記照射ユニットに向けて第１方向に出射する中間反射部材を備えることを特徴とする請求項１または２に記載の検査装置。
【請求項４】
前記光源部は、複数の発光素子を含み、
前記複数の発光素子のそれぞれは、前記光源部が出力する光を発することを特徴とする請求項１から３のいずれかに記載の検査装置。
【請求項５】
前記複数の発光素子は、互いに異なる波長特性の光を発する発光素子を含むことを特徴とする請求項４に記載の検査装置。
【請求項６】
前記複数の開口部から出力される照射光は、３２０ｎｍ〜４００ｎｍの波長範囲にピークを有する紫外線と、２８０ｎｍ〜３５０ｎｍの波長範囲にピークを有する紫外線と、の少なくとも一方を含むことを特徴とする請求項１から５のいずれかに記載の検査装置。
【請求項７】
前記第２反射部材の前記第１反射部材に対する傾斜角度は５°〜２０°の範囲に設定されることを特徴とする請求項１から６のいずれかに記載の検査装置。
【発明の詳細な説明】
【技術分野】
【０００１】
本発明は、医療用の検査装置に関し、特に、光線過敏症の診断および光線治療の初期条件設定のための検査装置に関する。
【背景技術】
【０００２】
皮膚科領域と紫外線は非常に関連が深く、光線過敏症と呼ばれる紫外線に起因する疾患があるだけでなく、皮膚悪性リンパ腫といった皮膚癌や、尋常性乾癬や尋常性白斑、アトピー性皮膚炎などの難治性疾患の治療に長年紫外線が用いられている。光線過敏症は、紫外線や可視光線に対して、主に皮膚が過度に反応するものであり、光線過敏試験によって、どの波長の光にどの程度過敏性があるかが確認される。紫外線を治療に用いる場合は、患部に長波長紫外線（ＵＶＡ波）や中波長紫外線（ＵＶＢ波）などを所定のエネルギー量で照射することで治療がなされる。光線過敏症でなくとも、皮膚が反応する紫外線の照射エネルギー量には個人差があるため、紫外線治療の前には適正照射量を決めるために光線過敏試験がなされる。
【０００３】
本出願人は、特許文献１において、皮膚の光線過敏性を検査するために使用される検査装置を提案している。
【先行技術文献】
【特許文献】
【０００４】
【特許文献１】特開２０１７−０５６０３６号公報
【発明の概要】
【発明が解決しようとする課題】
【０００５】
本発明者は、光線過敏性を検査する検査装置について以下の認識を得た。
医療の現場において人間の皮膚の光線過敏性を検査する場合、その検査装置は使いやすいことが望ましい。検査装置が大型あるいは重い場合は、その使い勝手が良いとはいえない。
【０００６】
光線過敏性を検査する検査装置では、光源から発せられる光をコリメート化するためにボールレンズを用い、複数の窓から光を外部放出するためにビームスプリッタを用いることが考えられる。しかし、この構成では、部品点数が多くなり、構成が複雑化しやすいことが判明した。
このことから、本発明者は、光線過敏性を検査する検査装置には部品点数を減らし構成を簡素化する観点で改善する余地があることを認識した。
【０００７】
本発明の目的は、このような課題に鑑みてなされたもので、部品点数を減らし構成を簡素化することが可能な光線過敏検査装置を提供することにある。
【課題を解決するための手段】
【０００８】
上記課題を解決するために、本発明のある態様の検査装置は、第１方向に並んで配置される複数の開口部から互いに異なる照度値の照射光を出力する検査装置であって、光を出力する光源部と、第１方向に延伸して複数の開口部が設けられる第１反射部材と、第１反射部材と隙間を介して対向配置される第２反射部材と、を含む照射ユニットと、光源部から出力された光を照射ユニットに導く導光部と、を備える。第２反射部材は、導光部から遠ざかるに連れて隙間が小さくなるように第１反射部材に対して傾けて配置される。
【０００９】
この態様によると、第１反射部材と第２反射部材との間の隙間に光源部からの光を導入し、複数の開口部から照射光を出力することができる。
【００１０】
なお、以上の構成要素の任意の組み合わせや、本発明の構成要素や表現を方法、システムなどの間で相互に置換したものもまた、本発明の態様として有効である。
【発明の効果】
【００１１】
本発明によれば、部品点数を減らし構成を簡素化することが可能な光線過敏検査装置を提供することができる。
【図面の簡単な説明】
【００１２】
【図１】第１実施形態に係る検査装置の側面視の断面図である。
【図２】図１の検査装置の底面図である。
【図３】比較例に係る検査装置の側面視の断面図である。
【図４】図３の検査装置の底面図である。
【図５】シミュレーションにより求めた照射光の照度値の一例を示すグラフである。
【図６】図１の検査装置の光源の配置の一例を示す配置図である。
【図７】別のシミュレーションにより求めた照射光の照度値の一例を示すグラフである。
【図８】別のシミュレーションにより求めた照射光の照度値の一例を示すグラフである。
【図９】第２実施形態に係る検査装置の側面視の断面図である。
【図１０】第３実施形態に係る検査装置の側面視の断面図である。
【発明を実施するための形態】
【００１３】
本発明者は、光線過敏性を検査する検査装置（以下、単に検査装置という）について研究し、以下のような知見を得た。
本発明者は、検査装置の部品点数を減らすために、互いに対向する２枚の反射板の間で入力光を複数回反射させながら、光の進行方向に配列された複数の開口部それぞれから出力光を出力する照射ユニット５１０を備える検査装置５００を案出した。以下、検査装置５００を比較例として説明する。
【００１４】
図３は、比較例の検査装置５００の側面視の断面図である。図４は、検査装置５００の底面図である。図３は、図４に示すＢ−Ｂ線に沿った縦断面を示している。以下、ＸＹＺ直交座標系をもとに説明する。図３、図４において、Ｙ軸方向は紙面左右方向に対応し、第１方向と同一軸とする。Ｘ軸方向は図３では紙面垂直方向、図４では紙面上下方向に対応する。Ｚ軸方向は図３において鉛直な上下方向に対応する。照射ユニット５１０は、Ｘ−Ｚ平面で切断した断面が略矩形である角筒形状を有している。その照射ユニット５１０の上下方向に対向する一方の面に第１反射部材５１２が、他方の面に第２反射部材５１４が配置されている。
【００１５】
第１反射部材５１２には、入口側からＹ軸方向で順に配列される５つの開口部５１８ａ、５１８ｂ、５１８ｃ、５１８ｄ、５１８ｅを含む開口部５１８が設けられている。照射ユニット５１０では、第１反射部材５１２はＸ−Ｙ平面に平行に配置され、第２反射部材５１４は第１反射部材５１２に平行に配置されている。
【００１６】
照射ユニット５１０に入力された光５２６ｃは、照射ユニット５１０の第１反射部材５１２と第２反射部材５１４とに繰り返し反射されながらＹ軸方向で照射ユニット５１０の奥に向かって進行するとともに、その光５２６ｃの一部が開口部５１８から照射光５２８として順次放出される。照射光５２８は、開口部５１８ａ、５１８ｂ、５１８ｃ、５１８ｄ、５１８ｅからそれぞれ放出される照射光５２８ａ、５２８ｂ、５２８ｃ、５２８ｄ、５２８ｅを含んでいる。したがって、照射ユニット５１０を進行する光５２６ｃの強度は、入口から奥に向かって順次低下し、開口部５１８から放出される照射光５２８の照度値も順次低下することが期待される。
【００１７】
次に、照射ユニット５１０について、第１シミュレーションにより求めた照射光５２８の照度値について説明する。図５は、第１シミュレーションにより求めた照射光の照度値を示すグラフであり、開口部５１８それぞれの照度値をプロットしている。図５において、グラフＰが照射光５２８の照度値を示している。図５において、横軸の点Ａ、Ｂ、Ｃ、Ｄ、Ｅは、照射光５２８ａ、５２８ｂ、５２８ｃ、５２８ｄ、５２８ｅに対応しており、縦軸は照射光それぞれの照度値を示している。照射光の照度値は、点Ａにおいて一番大きく、Ｂ、Ｃ、Ｄ、Ｅの順で低下している。しかし、照射光５２８の照度値は十分とはいえず、また、照射光５２８の低下率がＡ−Ｂ間に比べてＤ−Ｅ間で大幅に小さいことが判明した。
【００１８】
次に、第２シミュレーションにより求めた照射光５２８の照度値について説明する。図６は検査装置５００の光源部５２０における発光素子５２２の配置を示す配置図である。図６に示すように、光源部５２０は、３行３列のマトリックス状に配置された９個の発光素子５２２を含む。９個の発光素子５２２それぞれはＬＥＤである。第２シミュレーションでは、Ｘ軸方向にて中央の位置でＹ軸方向に離間して配置される３個の発光素子５２２ｄ、５２２ｅ、５２２ｆから発せられた光による照射光５２８ａ、５２８ｂ、５２８ｃ、５２８ｄ、５２８ｅの照度値を求めている。図７は、第２シミュレーションにより求めた照射光の照度値の一例を示すグラフである。図７は、発光素子５２２ｄ、５２２ｅ、５２２ｆから発せられた光によるそれぞれの照度値をプロットしている。
【００１９】
図７において、グラフＧは発光素子５２２ｄからの光による照射光５２８ａ、５２８ｂ、５２８ｃ、５２８ｄ、５２８ｅの照度値を示している。同様に、グラフＨは発光素子５２２ｅからの、グラフＪは発光素子５２２ｆからの光による照射光５２８ａ、５２８ｂ、５２８ｃ、５２８ｄ、５２８ｅの照度値を示している。中央に位置する発光素子５２２ｅに対応するグラフＨで示す照度値は、点Ａから点Ｅに向かって単調に低下している。しかし、Ｙ軸方向で端寄りに位置する発光素子５２２ｄ、５２２ｆに対応するグラフＪ、Ｇで示す照度値は、それぞれ奥側に向かって増加するポイントがみられた。このため、グラフＧ、Ｈ、Ｊにおける照度値の最大差は２．３倍と大きいことが判明した。これは、Ｙ軸方向で端寄りに位置する発光素子５２２ｄ、５２２ｆから発せられる光は、照射ユニット５１０の側面による反射の影響を大きく受けるためと考えられる。このため発光素子５２２ｄ、５２２ｅ、５２２ｆに異なる波長特性の光を組み合わせて使用する場合、照度値の分布が波長ごとに異なり、検査精度を低下させる要因となりうる。
【００２０】
本発明者は、これらのシミュレーション結果に対応して種々の構成を検討し、第２反射部材を斜めに配置することにより、照射光の照度値の分布を改善できることを見出した。実施の形態は、このような思索に基づいて案出されたもので、以下にその具体的な構成を説明する。
【００２１】
以下、本発明を好適な実施の形態をもとに各図面を参照しながら説明する。実施の形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００２２】
［第１実施形態］
以下、図面を参照して、本発明の第１実施形態に係る検査装置１００について説明する。図１は、第１実施形態に係る検査装置１００の側面視の断面図である。図１では、断面図に加えて、後述する光源部２０および操作ユニット６０の平面図を示している。図２は、検査装置１００の底面図である。図１は、図２に示すＡ−Ａ線に沿った縦断面を示している。図１、図２は、比較例の図３、図４に対応する。以下、ＸＹＺ直交座標系をもとに説明する。Ｙ軸方向は紙面左右方向に対応し、第１方向と同一軸とする。Ｘ軸方向は図１では紙面垂直方向、図２では紙面上下方向に対応する。Ｚ軸方向は図１において鉛直な上下方向に対応する。Ｙ軸方向およびＺ軸方向はそれぞれＸ軸方向に直交する。このような方向の表記は検査装置１００の使用姿勢を制限するものではなく、検査装置１００は任意の姿勢で使用されうる。特に、本明細書では、Ｙ軸方向で後述する導光部３０から遠ざかる方向を第１方向と表記する。
【００２３】
（検査装置）
検査装置１００は、第１方向（Ｙ軸方向）に配列された複数の開口部１８から互いに異なる照度値の照射光２８を照射する検査装置である。検査装置１００は、光線過敏性を検査する検査装置として使用することができる。検査装置１００は、照射ユニット１０と、光源部２０と、導光部３０と、中間反射部材３４と、制御部５０と、電源部５２と、操作部５４と、表示部５６と、を主に備える。照射ユニット１０は、第１方向に配列された複数の開口部１８から照射光２８を放出する。光源部２０は光２６を導光部３０に向けて出力する。導光部３０は光源部２０から出力された光を照射ユニット１０に導く。中間反射部材３４は、導光部３０から入射した光を曲げて照射ユニット１０に出射する。制御部５０は、光源部２０の発光を制御する。電源部５２は、検査装置１００に電力を供給する。操作部５４は、検査装置１００の動作開始や停止の操作を検知する。表示部５６は、検査装置１００の動作状態などを表示する。
【００２４】
（照射ユニット）
照射ユニット１０は、その長手方向であるＹ軸方向に垂直な断面が略矩形である筒形状を有している。照射ユニット１０の側面視の外形輪郭は、両方の側辺が平行で斜辺が上側に位置する台形形状を呈する。照射ユニット１０は、第１反射部材１２と、第２反射部材１４と、一対の側面反射板１６と、端部部材１７を含む。
【００２５】
第１反射部材１２と第２反射部材１４とはＺ軸方向に離れてそれぞれの反射面が対向するように配置される。図１において、第１反射部材１２は下面であり、第２反射部材１４は天井面である。第１反射部材１２は第１方向と平行に配置され、第２反射部材１４は第１反射部材１２に対して傾いて配置される。図１において、第１反射部材１２はＸ−Ｙ平面に平行に延在する平坦な板状の部材である。第２反射部材１４は、Ｘ軸方向に平行にＹ軸方向（第１方向）に傾けて配置される平坦な板状の部材である。特に、第２反射部材１４は、第１反射部材１２との隙間が導光部３０から遠ざかるに連れて小さくなるように、第１反射部材１２に対して傾斜して配置される。第２反射部材１４の第１反射部材１２に対する傾斜角度は、好ましくは５°〜２０°の範囲に設定される。図１の例では、第２反射部材１４の第１反射部材１２に対する傾斜角度は１０°〜１５°の範囲に設定されている。
【００２６】
一対の側面反射板１６は、Ｘ軸方向に離れて配置され、第１反射部材１２の側辺と第２反射部材１４の側辺との間に架け渡される反射板である。一対の側面反射板１６は、Ｙ−Ｚ平面に平行に延在しており、それぞれ反射面が対向するように配置される。第１反射部材１２と、第２反射部材１４と、一対の側面反射板１６と、は筒状の空間を環囲するように組み合わされており、その導光部３０から遠い側の端部が端部部材１７によって覆われている。端部部材１７はＸ−Ｚ平面に平行に延在している。第１反射部材１２、第２反射部材１４、一対の側面反射板１６は、様々な素材で形成することが可能であり、この例ではアルミニウムで形成されている。アルミニウムは紫外光の領域において高い反射率を有する点で好ましい。端部部材１７は実質的に無反射の素材が使われる。端部部材１７は、一例として艶消し黒色塗装されていてもよい。
【００２７】
（開口部）
複数の開口部１８は、第１反射部材１２に形成されている。複数の開口部１８は、導光部３０に近い側から順にＹ軸方向に配列された開口部１８ａ、１８ｂ、１８ｃ、１８ｄ、１８ｅを含む。図２の例では、開口部１８ａ、１８ｂ、１８ｃ、１８ｄ、１８ｅは、それぞれ同じ矩形形状を有し、第１方向に等間隔に配置されている。開口部１８ａ、１８ｂ、１８ｃ、１８ｄ、１８ｅには、それぞれ縁に枠が設けられてもよい。開口部１８ａ、１８ｂ、１８ｃ、１８ｄ、１８ｅには透光材が設けられてもよいが、図２の例では、透光材は設けられていない。
【００２８】
（光源部）
光源部２０は、光線過敏検査に用いる波長の光２６を出力する。光源部２０は、単一波長の光を出力するようにしてもよいが、検査装置１００では複数の波長の光を出力するように構成されている。波長を切り替えて使用することによって、波長ごとの光感受性の相違を検査することが可能になる。光源部２０は、一例として、紫外線治療に用いられる３２０ｎｍ〜４００ｎｍの長波長紫外線（ＵＶＡ波）や、２８０ｎｍ〜３５０ｎｍの中波長紫外線（ＵＶＢ波）などを出力する。この結果、複数の開口部１８から出力される照射光２８には、３２０ｎｍ〜４００ｎｍの波長範囲にピークを有する紫外線または２８０ｎｍ〜３５０ｎｍの波長範囲にピークを有する紫外線のいずれか一方あるいは両方を含ませることができる。
【００２９】
光源部２０は、基板２０ｂと、基板２０ｂに配置された発光素子２２と、を含む。発光素子２２は、ｎ行ｍ列のマトリックス状に配置された複数の発光素子を含んでもよい。ｎおよびｍは、２以上の整数であり、同数であってもよく非同数であってもよい。ｎおよびｍは、所望の照度と所望の波長数とに対応して設定することができる。図１の例では、発光素子２２は、３行３列に配置された９個の発光素子２２ａ、２２ｂ、２２ｃ、２２ｄ、２２ｅ、２２ｆ、２２ｇ、２２ｈ、２２ｊを含んでいる。
【００３０】
発光素子２２としては、種々の原理に基づく発光素子を採用することができる。検査装置１００では、発光素子２２として、紫外光を発光するＬＥＤ（Light Emitting Diode）が採用されている。発光素子２２として、例えば中心波長またはピーク波長が約３０５ｎｍのＬＥＤを用いることで、ＵＶＢ波の検査に用いることができる。このようなＬＥＤとして、窒化アルミニウムガリウム（ＡｌＧａＮ）系のＬＥＤが知られている。
【００３１】
（導光部）
導光部３０は光源部２０から出力された光２６の発散を抑制して照射ユニット１０に導く。導光部３０は筒状部３２を含む。筒状部３２は、光２６を導く導光空間を環囲する略角筒状の部材である。筒状部３２の内筒面は光源部２０の光軸２０ｊと平行な方向に伸びている。図１の例では、光軸２０ｊはＺ軸方向に平行である。よって、筒状部３２は、光２６の発散を抑制しながら、光２６を光軸２０ｊと平行な方向に進行させる。筒状部３２はＺ軸方向に伸びているため、筒状部３２は光２６をＺ軸方向に進行させる。筒状部３２を進行する光２６を光２６ｂと表記する。
【００３２】
（中間反射部材）
中間反射部材３４は、導光部３０と照射ユニット１０との間に設けられ、導光部３０から入射した光２６ｂを反射して照射ユニット１０に向けて第１方向に出射する。図１の例では、中間反射部材３４は、導光部３０からＺ軸方向に入射した光２６ｂを反射してＹ軸方向に進行する光２６ｃを照射ユニット１０に出射する。つまり、検査装置１００は、中間反射部材３４を備えることにより装置全体の光路がＬ字状に構成されている。図１の例では、中間反射部材３４は、平坦な板状の部材で、筒状部３２の下端側においてＸ軸方向に平行でＺ軸方向に対して４５°傾けて配置されている。光２６ｃは照射ユニット１０の内部で反射されながらＹ軸方向に進行する。
【００３３】
筒状部３２の内筒面および中間反射部材３４の反射面は、反射率が高いことが望ましく、図１の例では、アルミニウム素材で形成されている。
【００３４】
制御部５０は、操作部５４からの入力に基づいて発光素子２２の発光を制御する。制御部５０は、発光素子２２の発光強度や点灯時間といった照射条件を設定するための情報を表示部５６に表示させる。制御部５０は、操作部５４からの入力を通じてこれら条件の設定を受け付ける。制御部５０は、例えば、複数の検査モードと各検査モードに対応する照射条件を保持してもよい。制御部５０は、複数の検査モードのリストを表示部５６に表示させ、操作部５４からの入力により検査モードの指定を受け付けることで、指定された検査モードに対応する照射条件の照射光が出力されるように発光素子２２を制御してもよい。制御部５０は、公知のＣＰＵ（Central Processing Unit）などを用いて実現することができる。
【００３５】
電源部５２は、光源部２０や制御部５０などに電力を供給する。電源部５２は、リチウムイオン電池などの蓄電池（不図示）を含む。電源部５２は、蓄電池を充電するための電源端子を有し、電源端子に接続されるＡＣアダプタ等を通じて充電できるように構成される。なお電源部５２は、一次電池または二次電池である乾電池を含んでもよい。この場合、検査装置１００には蓄電池や乾電池を保持するためのホルダが設けられてもよい。
【００３６】
操作部５４は、検査装置１００による照射の開始および終了の操作や、検査装置１００の照射条件を設定するための操作に用いられる。表示部５６は、例えば液晶ディスプレイなどで構成され、検査装置１００の動作状態や設定される照射条件などを表示する。操作部５４は、表示部５６とは別の位置に設けられるスイッチやボタンなどで構成されてもよいし、表示部５６と一体となったタッチパネルなどで構成されてもよい。
【００３７】
検査装置１００では、照射ユニット１０と、光源部２０と、導光部３０と、は本体部５８を構成し、制御部５０と、電源部５２と、操作部５４と、表示部５６と、は操作ユニット６０を構成している。操作ユニット６０は、本体部５８と一体に構成されてもよいが、図１の例では別体に構成されており、互いに電線によって接続されている。この場合、本体部５８が軽量になり検査作業が容易になる。なお、操作ユニット６０に含まれると説明された部材や要素が本体部５８に含まれてもよい。
【００３８】
次に、このように構成された検査装置１００について、第１シミュレーションにより求めた照射光２８の照度値について説明する。図５のグラフＱは、第１シミュレーションにより求めた照射光２８の照度値の一例を示している。図５において、横軸の点Ａ、Ｂ、Ｃ、Ｄ、Ｅは、開口部１８それぞれの照射光２８ａ、２８ｂ、２８ｃ、２８ｄ、２８ｅに対応しており、縦軸は照射光それぞれの照度値を示している。グラフＱで示す照射光２８の照度値は、点Ａにおいて一番大きく、Ｂ、Ｃ、Ｄ、Ｅの順で低下している。グラフＱで示す照射光２８の照度値は、グラフＰで示す比較例の照射光５２８の照度値よりも上昇している。つまり、第２反射部材１４を傾けたことによって、第２反射部材１４を傾けない場合よりも照射光２８の照度値が上昇する。
【００３９】
次に、検査装置１００について、第２シミュレーションにより求めた照射光２８の照度値について説明する。図１に示すように、光源部２０は、３行３列に配置された複数の発光素子２２を含む。第２シミュレーションでは、Ｘ軸方向にて中央の位置でＹ軸方向に離間して配置される３個の発光素子２２ｄ、２２ｅ、２２ｆから発せられた光による照射光２８ａ、２８ｂ、２８ｃ、２８ｄ、２８ｅの照度値を求めている。図８は、第２シミュレーションにより求めた照射光２８の照度値の一例を示すグラフである。図８は、発光素子２２ｄ、２２ｅ、２２ｆから発せられた光によるそれぞれの照度値をプロットしている。
【００４０】
図８において、グラフＫは発光素子２２ｄからの光による照射光２８ａ、２８ｂ、２８ｃ、２８ｄ、２８ｅの照度値を示している。同様に、グラフＬは発光素子２２ｅからの、グラフＭは発光素子２２ｆからの光による照射光２８ａ、２８ｂ、２８ｃ、２８ｄ、２８ｅの照度値を示している。グラフＫ、Ｌ、Ｍで示す照度値は点Ａから点Ｅに向かって単調に低下している。また、グラフＫ、Ｌ、Ｍにおける照度値の最大差は１．３倍であった。このため発光素子２２ｄ、２２ｅ、２２ｆに異なる波長特性の光を組み合わせて使用する場合でも、検査精度の低下を抑制することができる。
【００４１】
次に、検査装置１００の使用方法について説明する。まず、検査内容に応じた検査モードを設定することで照射条件が決定される。次に、照射対象となる皮膚に第１反射部材１２の下面１０ｄが密着するように検査装置１００が配置される。上腕や太ももなどの皮膚で検査する場合、腕や脚と検査装置１００がベルト等の固定器具や貼付剤などにより固定され、照射中に検査装置１００の位置がずれないようにされる。検査装置１００と皮膚の間にわずかな隙間が生じてしまう場合、紫外光が周囲に漏れ出さないように、紫外光を遮蔽するカバー（例えば、布製）を検査装置１００と照射対象の双方を覆うようにして取り付けてもよい。検査装置１００を固定した後、検査光の照射を開始させる。照射が開始されてから予め設定された時間の経過後に照射が自動的に停止される。照射の終了後、検査装置１００が外される。検査装置１００による照射を受けた皮膚は、所定時間後（例えば、１日〜２日後など）に医師により紅斑の有無が診断され、紅斑が生じる最低照射量である最少紅斑量（ＭＥＤ；Minimal Erythema Dose）や、最少反応量（ＭＲＤ；Minimal Response Dose）、最小光毒量（ＭＰＤ；Minimal Phototoxic Dose）が特定されうる。
【００４２】
次に、このように構成された検査装置１００の作用・効果を説明する。
【００４３】
第１実施形態の検査装置１００は、第１方向に並んで配置される複数の開口部１８から互いに異なる照度値の照射光２８を出力する検査装置であって、光を出力する光源部２０と、第１方向に延伸して複数の開口部１８が設けられる第１反射部材１２と、第１反射部材１２と隙間を介して対向配置される第２反射部材１４と、を含む照射ユニット１０と、光源部２０から出力された光を照射ユニット１０に導く導光部３０と、を備え、第２反射部材１４は、導光部３０から遠ざかるに連れて第１反射部材１２との隙間が小さくなるように第１反射部材１２に対して傾けて配置されている。この構成によれば、重く高価な光学部品を用いる場合と比べて部品点数が少なくなり、構成を簡略化することができる。また、検査装置の軽量化を図ることができ、使い勝手を向上させることができる。
【００４４】
第１実施形態の検査装置１００では、複数の開口部１８のそれぞれから出力される照射光２８の強度が導光部３０から遠ざかるに連れて順に小さくなるように構成されている。この構成によれば、光線過敏試験に必要とされる強度の異なる複数の照射光を同時に照射することができるので、照射条件を変えながら個々に検査光を照射していく方法と比べて照射時間を短縮し、検査者の手間を軽減させることができる。これにより、検査にかかる医師および患者の負担を軽減することができる。
【００４５】
第１実施形態の検査装置１００は、導光部３０と照射ユニット１０との間に設けられ、導光部３０から入射した光を反射して照射ユニット１０に向けて第１方向に出射する中間反射部材３４を備えている。この構成によれば、導光部３０からの光の光路を曲げることができるため、光路を曲げない構成に比べて、検査装置１００の第１方向の寸法を短くすることができる。
【００４６】
第１実施形態の検査装置１００では、光源部２０は、複数の発光素子２２を含み、複数の発光素子２２のそれぞれは、光源部２０が出力する光を発する。この構成によれば、光源部２０は、備える発光素子２２の数を増やすことにより、所望の強度の光を発することができる。光源部２０は、それぞれ異なった波長特性や強度の光を発する発光素子２２を含むことができるので、発光する発光素子を選択することにより、照射光２８の特性を患者の状態に応じて調整することができる。
【００４７】
第１実施形態の検査装置１００では、複数の発光素子２２は、互いに異なる波長特性の光を発する発光素子を含んでいる。この構成によれば、光線過敏試験に必要とされる波長帯域の異なる複数の照射光を同時に照射することができるので、波長を変えながら個々に検査光を照射していく方法と比べて照射時間を短縮し、検査者の手間を軽減させることができる。これにより、検査にかかる医師および患者の負担を軽減することができる。
【００４８】
第１実施形態の検査装置１００では、複数の開口部１８から出力される照射光２８は、３２０ｎｍ〜４００ｎｍの波長範囲にピークを有する紫外線と、２８０ｎｍ〜３５０ｎｍの波長範囲にピークを有する紫外線と、の少なくとも一方を含んでいる。この構成によれば、この波長範囲の紫外線に対する光線過敏症の診断または、この波長範囲の光線治療を実施するための初期条件設定をすることができる。
【００４９】
第１実施形態の検査装置１００では、第２反射部材１４の第１反射部材１２に対する傾斜角度は５°〜２０°の範囲に設定されている。この構成によれば、第２反射部材１４が第１反射部材１２と平行である場合に比べて、照射光２８の照度値を大きくすることができる。また、検査装置１００は、第２反射部材１４を傾けない場合に比べて、発光している発光素子２２の位置による照射光２８の照度値の差を小さくすることができる。このため、異なる波長特性の光を組み合わせて使用する場合でも、検査精度の低下を抑制することができる。
【００５０】
［第２実施形態］
図９を参照して、本発明の第２実施形態に係る検査装置２００について説明する。図９は、検査装置２００の側面視の断面図であり、図１に対応する。第２実施形態に係る検査装置２００は、第１実施形態に係る検査装置１００に対して中間反射部材３４を備えておらず、装置全体の光路がストレートに構成されている点で異なり、他の構成は同様である。検査装置１００は、装置全体の光路がＬ字状に構成されるのに対して、検査装置２００は、装置全体の光路がＩ字状に構成されている。第１実施形態と重複する説明を省き、相違する構成について説明する。検査装置２００は、導光部３０に代えて、第１方向に光を導く導光部２３０を備えている。検査装置２００は、光源部２０の光軸が第１方向に向いており、光源部２０から発生された光２６ｂは、導光部２３０を通じて真っ直ぐに照射ユニット１０に入射する。
【００５１】
第２実施形態に係る検査装置２００は、第１実施形態に係る検査装置１００と同様の構成を備えることにより、検査装置１００と同様の作用・効果を奏する。加えて、検査装置２００は、中間反射部材３４を備えず、光路が真っ直ぐに構成されるから、構成を一層簡略化することができる。
【００５２】
［第３実施形態］
図１０を参照して、本発明の第３実施形態に係る検査装置３００について説明する。図１０は、検査装置３００の側面視の断面図であり、図１に対応する。第３実施形態に係る検査装置３００は、第１実施形態に係る検査装置１００に対して別の中間反射部材３６を備えており、装置全体の光路が２回曲げられている点で異なり、他の構成は同様である。検査装置３００の光路は、光源部２０側から順に、導光部３３０と、別の中間反射部材３６と、導光部３３８と、中間反射部材３４と、を含む。
【００５３】
導光部３３０は、光源部２０からの光２６ｂをＹ軸方向で第１方向と反対向きに導く。別の中間反射部材３６は、導光部３３０から入射する光２６ｂをＺ軸方向に反射する。別の導光部３３８は、別の中間反射部材３６からの光２６ｄをＺ軸方向に導く。中間反射部材３４は、導光部３３８から入射するＺ軸方向の光２６ｄを第１方向に反射する。つまり、検査装置３００の光路は、横向きのＵ字状に形成される。
【００５４】
第３実施形態に係る検査装置３００は、第１実施形態に係る検査装置１００と同様の構成を備えることにより、検査装置１００と同様の作用・効果を奏する。加えて、検査装置３００は、装置全体の光路がＵ字状に２回曲げられているから、Ｙ軸方向の寸法やＺ軸方向の寸法を小さくすることができる。
【００５５】
以上、本発明の各実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００５６】
以下、変形例について説明する。変形例の図面および説明では、実施形態と同一または同等の構成要素、部材には、同一の符号を付する。実施形態と重複する説明を適宜省略し、第１実施形態と相違する構成について重点的に説明する。
【００５７】
（第１変形例）
第１実施形態の説明では、照射ユニット１０が正面視で角筒状に形成される例について説明したが、これに限定されない。照射ユニット１０は曲面を含んで構成されてもよい。例えば、第２反射部材は、ドーム状の面や部分円筒面など湾曲した曲面を含んでもよい。第２反射部材の曲面形状を調整することにより所望の照射光の分布を実現することができる。
【００５８】
（第２変形例）
第１実施形態の説明では、複数の発光素子２２が、マトリックス状に配置される例について説明したが、これに限定されない。複数の発光素子２２は同心円状など任意のパターンによって配置されてもよい。
【００５９】
（第３変形例）
第１実施形態の説明では、照射ユニット１０が５つの開口部１８を含む例について説明したが、これに限定されない。照射ユニットは４つ以下または６つ以上の開口部を含んでもよい。
【００６０】
（第４変形例）
第１実施形態の説明では、複数の開口部１８が矩形状に形成される例について説明したが、これに限定されない。複数の開口部１８は、矩形以外の多角形状や楕円形状など任意の形状の開口部を含んでもよい。
【００６１】
（第５変形例）
第１実施形態の説明では、光源部２０と、導光部３０と、照射ユニット１０と、が一体に構成される例について説明したが、これに限定されない。光源部と導光部との間および、導光部と照射ユニットとの間の少なくとも一方が、光ファイバーなどの光伝送媒体を介して接続されてもよい。
【００６２】
（第６変形例）
第１実施形態の説明では、検査装置１００の光路が、レンズなど透光性を有する光学素子を用いずに構成される例について説明したが、これに限定されない。検査装置は透光性を有する光学素子を含んで構成されてもよい。
【００６３】
上述の各変形例は第１実施形態と同様の作用・効果を奏する。
【００６４】
上述した各実施形態と変形例の任意の組み合わせもまた本発明の実施形態として有用である。組み合わせによって生じる新たな実施形態は、組み合わされる各実施形態および変形例それぞれの効果をあわせもつ。
【符号の説明】
【００６５】
１０・・照射ユニット、  １２・・第１反射部材、  １４・・第２反射部材、  １８・・開口部、  ２０・・光源部、  ２２・・発光素子、  ２６・・光、  ２８・・照射光、  ３０、２３０、３３０・・導光部、  ３４・・中間反射部材、  １００、２００、３００・・検査装置。
【図１】
2019033864.tif 000003
【図２】
2019033864.tif 000004
【図３】
2019033864.tif 000005
【図４】
2019033864.tif 000006
【図５】
2019033864.tif 000007
【図６】
2019033864.tif 000008
【図７】
2019033864.tif 000009
【図８】
2019033864.tif 000010
【図９】
2019033864.tif 000011
【図１０】
2019033864.tif 000012